(57)【要約】【課題】水生動植物の観賞を妨げることなく安定的な構造を有し、水槽や睡蓮鉢等の容器における上部空間を有効に利用することができる水生動植物観賞用容器付きテーブルを提供する。【解決手段】水生動植物を飼育して観賞する観賞用容器４と、該観賞用容器４の上縁から立設する複数本の支柱３と、該支柱３によって支えられた板状体からなるテーブル台２とを備えた。これにより、重心が下側に位置する安定的な構造のテーブル１を得ることができ、観賞用容器４の上部空間に配したテーブル台２により、観賞用容器４の上部空間を有効に利用することができる。【選択図】図２
2011036152.tif 000002
【特許請求の範囲】
【請求項１】
水生動植物を飼育して観賞する観賞用容器と、
該観賞用容器の上縁から立設する複数本の支柱と、
該支柱によって支えられた板状体からなるテーブル台と、を備えることを特徴とする水生動植物観賞用容器付きテーブル。
【請求項２】
前記テーブル台は、少なくとも一部が透明もしくは半透明の部材で構成されていることを特徴とする請求項１に記載の水生動植物観賞用容器付きテーブル。
【請求項３】
前記複数本の支柱は少なくとも他の１本の支柱と互いに連結され、前記観賞用容器に対して着脱可能であることを特徴とする請求項１または２に記載の水生動植物観賞用容器付きテーブル。
【発明の詳細な説明】
【技術分野】
【０００１】
本発明は、睡蓮鉢や水槽等の水生動植物観賞用容器を有するテーブルに関するものである。
【背景技術】
【０００２】
水槽自体をテーブルとした観賞魚用テーブル型水槽が特許文献１に開示されている。このテーブル型水槽は、椅子に腰をかけたままで、全ての魚を上から同時に観賞することができるものである。そのために、テーブル台をガラス製の水槽容器とし、これを４隅の脚で支えている。
【先行技術文献】
【特許文献】
【０００３】
【特許文献１】実開平５−９１３１８号公報
【発明の概要】
【発明が解決しようとする課題】
【０００４】
しかしながら、特許文献１のテーブル型水槽は、水槽を支えるための強度を脚に持たせる必要がある。また、水で満たされた水槽は重いため、上側に配されたテーブル台が大変重くなり、全体として不安定な構造である。
【０００５】
本発明は、上記従来技術を考慮したものであって、水生動植物の観賞を妨げることなく安定的な構造を有し、水槽や睡蓮鉢等の容器における上部空間を有効に利用することができる水生動植物観賞用容器付きテーブルを提供することを目的とする。
【課題を解決するための手段】
【０００６】
前記目的を達成するため、請求項１の発明では、水生動植物を飼育して観賞する観賞用容器と、該観賞用容器の上縁から立設する複数本の支柱と、該支柱によって支えられた板状体からなるテーブル台とを備えることを特徴とする水生動植物観賞用容器付きテーブルを提供する。
【０００７】
また、請求項２の発明では、請求項１の発明において、前記テーブル台は、少なくとも一部が透明もしくは半透明の部材で構成されていることを特徴としている。
【０００８】
また、請求項３の発明では、前記複数本の支柱は少なくとも他の１本の支柱と互いに連結され、前記観賞用容器に対して着脱可能であることを特徴としている。
【発明の効果】
【０００９】
請求項１の発明によれば、観賞用容器の上縁から複数本の支柱が立設し、この支柱にテーブル台が支えられるため、水が入った観賞用容器がテーブル台よりも下側に配される。このため、重心が下側に位置する安定的な構造のテーブルを得ることができる。また、観賞用容器の上部空間に配したテーブル台により、容器上部空間を有効に利用することができる。
【００１０】
請求項２の発明によれば、テーブル台の少なくとも一部が透明もしくは半透明の部材で構成されているため、観賞用容器の上側からテーブル台を通して観賞用容器内の水生動植物を観賞できる。
【００１１】
請求項３の発明によれば、支柱同士が互いに連結されるので、テーブル台を安定して支持することができる。また、支柱が観賞用容器に対して着脱可能であるため、テーブル台を鑑賞用容器から取り外して容器内のメンテナンスを行うことが容易となる。
【図面の簡単な説明】
【００１２】
【図１】本発明に係る水生動植物観賞用容器付きテーブルの平面図である。
【図２】本発明に係る水生動植物観賞用容器付きテーブルの正面図である。
【図３】本発明に係る水生動植物観賞用容器付きテーブルを斜め方向から見た側面図である。
【図４】図１のＡ−Ａ断面図である。
【発明を実施するための形態】
【００１３】
図１は本発明に係る水生動植物観賞用容器付きテーブルの平面図であり、図２は正面図、図３は斜め方向から見た側面図である。また、図４は図１のＡ−Ａ断面図である。
【００１４】
図示したように、本発明に係る水生動植物観賞用容器付きテーブル１は、テーブル台２と、支柱３と、観賞用容器４で構成されている。観賞用容器４は、例えば睡蓮鉢や、水槽である（図では睡蓮鉢を表示している）。観賞容器４の材質は、陶器でもよいし、ガラスやアクリル、更には樹脂などでもよい。この観賞用容器４は、中に水を注ぎ入れ、睡蓮やメダカ等の水生動植物を飼育して観賞するものである。
【００１５】
観賞用容器４の上縁４ａから、複数本（図では４本）の支柱３が立設されている。図示したように、支柱３を４本とした場合、容器４の中心からの角度を９０度とする間隔で均等に立設される。この支柱３の下端は二股に分かれて凹部が形成されている。この凹部は観賞用容器４の上縁４ａを挟み込むための挟持部３ａである。挟持部３ａで上縁４ａを挟持することにより、支柱３が上縁４ａから立設する。
【００１６】
観賞用容器４の上縁４ａに対する支柱３の立設構造は、このような挟持部３ａに限られず、支柱３を上縁４ａから上方に延びるように設けることができれば、どのような構成としてもよい。例えば、支柱３を容器４に接着したり、固定治具等を用いて両者を固定したりしてもよい。このとき、支柱３を容器４から着脱可能な機構とすれば、容器４の大掛かりなメンテナンスをする際に支柱３やテーブル台２が妨げとならず、便利である。
【００１７】
また、対向する支柱３同士は、連結部材５で連結される。これにより、対向する支柱３同士が互いに支え合うので、安定して支柱３を上縁４ａから立設させることができる。また、各連結部材５は、容器４の中央で重なるので、これらをネジ６で固定することにより、さらに支柱３を安定して相互に支え合わせることができる。なお、連結部材５による連結は対向する支柱３同士に限られず、隣り合う支柱３同士であってもよいし、その他の支柱であってもよい。また、連結は２本の支柱３同士だけでなく、３本以上の支柱３をまとめて連結してもよい。また、連結部材５は棒状に限られず、連結すべき支柱３同士の位置に合わせて適宜加工して形成してもよい。また、各連結部材５の固定は、ネジ６だけでなく、ボルトとナット、あるいは接着材や、連結部材同士の嵌合（例えば連結部材の長手方向略中央にそれぞれホゾを設け、このホゾ同士の嵌合）等により行ってもよい。
【００１８】
また、支柱３の上端には、テーブル台２が支持されている。本実施形態においては、支柱３の上端に例えばウレタン樹脂など利用した滑り止めシート（図示していない）が貼着されており、この滑り止めシートを介してテーブル台２が支持されている。もちろんこのテーブル台２は、支柱３に対して直接接着してもよいし、単に載置するだけでもよい。
【００１９】
このテーブル台２をガラスやアクリル、更には強化プラスチックを利用して透明（半透明も含む）な部材で構成すれば、テーブルとして使用しながらそのテーブル台越しに容器４内の水生動植物を観賞することができる。もちろんこれらの素材以外にも、透明もしくは半透明性を有し、テーブルとしての強度を確保できる素材であれば十分に利用できる。このようにテーブル使用時にも水生動植物の観賞ができるため、使用者の趣味性を満足することができる。なお、テーブル越しに容器４内の水生動植物を鑑賞できる限りにおいて、テーブル台２の一部だけが、透明もしくは半透明にされていてもよい。例えばテーブル台２の中央部分のみが透明とされていたり、半分だけ透明とされているなど、様々な構成を採用することができる。
【００２０】
上述した観賞用容器４は、テーブル１の下側に位置する。この観賞用容器には水が入るため、最も重量を有する部分である。これが下側に配されるので、テーブル１全体としての重心が下側に位置することになり、安定した構造のテーブル１を得ることができる。これにより、テーブル１の転倒を抑制することができる。また、テーブル台２を配することにより、観賞用容器４の上部空間を有効に利用することができる。テーブル台２と観賞用容器４との間は支柱３により距離が隔てられているので、ここから手を入れて容器４内のメンテナンスが可能である。
【符号の説明】
【００２１】
１：水生動植物観賞用容器付きテーブル、２：テーブル台、３：支柱、３ａ：挟持部、４：観賞用容器、４ａ：上縁、５：連結部材、６：ネジ
【図１】
2011036152.tif 000003
【図２】
2011036152.tif 000004
【図３】
2011036152.tif 000005
【図４】
2011036152.tif 000006